(57)【特許請求の範囲】
【請求項１】
投げ竿本体に固着する嵌合穴と、道糸を通すガイド部と竿保持脚部と、防波堤のコンクリート面等に接面して置き竿状態を保持するコンクリート当接面部とを、一体にしたガイド部を有する竿掛竿保持部を、上記投げ竿に固着して設け、
上記投げ竿の竿本体に固着して設けた、ガイド部を有する竿掛竿保持部の、脚部の下部を、多種の脚長を持つ複数の脚部を、着脱嵌合する着脱嵌合部にして設け、上記着脱嵌合部に相対する着脱嵌合部を、多種の脚長を持つ複数の脚部の上部に設け、多種の脚長を持つ複数の脚部を、セレクトして着脱嵌合使用出来る、セレクト着脱構造にした事を特徴とする、竿掛け竿保持具。
【発明の詳細な説明】
【技術分野】
【０００１】
すずき（はね）ぶり（はまち、）さわら、かんぱち，ひらめ、しまあじ、等の沿岸回遊大型、中型魚の、釣り具で置き竿をする時に使用する、竿掛け竿保持具に関する技術である。
【背景技術】
【０００２】
針に餌となる小魚（いわし・さば・あじ・このしろ等々）を鼻掛け・背掛けで付けて、２〜7ｍ上に浮きを付け海中に投入し、後は魚が勝手に動く、釣り人は他人の仕掛けともつれるのを監視すると言う釣り方が一般的なものである。
【先行技術文献】
【特許文献】
【０００３】
【特許文献１】特開２０００−１５７１２４
【特許文献２】実登３０９４５０１
【特許文献３】実開昭５７−１６７６７７
【特許文献４】実登３１３６０４５
【特許文献５】実開平３−２７９７２
【０００４】
すずき（はね）ぶり（はまち、）さわら、かんぱち，ひらめ、しまあじ、等の、沿岸回遊大型魚の、泳がせ釣法に、関する先行技術文献は見つける事は出来なかったが、道糸に、着脱自在に出来る糸用係着部の構造に関する技術（例えば特許文献１）がある。
スナップサルカンで現在では一般的に販売されている物でスナップ底部の略Ｕ字形の部分をチュウブで被った技術（例えば特許文献２）がある。
ラセン式簡易中通し浮きで、道糸の途中から着脱自在にした技術（例えば特許文献３）がある。
ルァー用フックのアイにスナップの開閉側と反対側のリングを通した技術（例えば特許文献４）がある
浮子本体に糸部の太さより大きい挿通穴を有する係止部を形成し、糸部への着脱を自在にした技術（例えば特許文献５）がある
【発明の概要】
【発明が解決しようとする課題】
【０００５】
鼻掛け・背掛けした餌を付けて、２〜７ｍ上に浮きを付け海中に投入し、後は魚が勝手に動くので、釣り人は他人の仕掛けと自分の１〜３本投入している、仕掛けどうしがもつれるのを監視すると言う釣り方が一般的なものであるが、海面には殆どの場合潮流・風等がありこれらを受けて餌の小魚は広範囲に動き回るので、釣り人一人が、１本の仕掛けを使用した場合、占有する釣り場所は、岸壁の長さで竿１本に付き少なくとも１０ｍは必要となる。
この泳がせ釣りで、例えば３００ｍある岸壁で、釣り人一人が、２本の竿を使用した場合、最大で１５人しか釣ることが出来ず、釣るためには場所の確保が一番で、場所取りのため、日の出より１〜２時間早く行かなければならない、これを釣り人一人が、１本の竿を使用した場合、占有する釣り場所は最少で１本に付き６ｍ程度にすることが出来るので、同じ場所で釣りを楽しめる人数は最大で２５人となる、この釣法を可能にする、仕掛け及び用具を構成する部品を提供する事が課題である。
もちろん浮き釣りと同等かそれ以上の釣果が得られる（１か月とかの平均値で）ことも
必須課題である。
【課題を解決するための手段】
【０００６】
第一の発明は、投げ竿本体（１１）に固着する嵌合穴（１５Ｍ−１）と、道糸を通すガイド部（１５Ｍ−２，１５Ｍ−３）と竿保持脚部（１５Ｍ−４）と、防波堤のコンクリート面等に接面して置き竿状態を保持するコンクリート当接面部（１５Ｍ−６）とを、一体にしたガイド部を有する竿掛竿保持部（１５Ｍ）を、上記投げ竿に固着して設け、
上記投げ竿の竿本体に固着して設けた、ガイド部を有する竿掛竿保持部（１５Ｍａ）の、脚部の下部を、多種の脚長を持つ複数の脚部を着脱嵌合する着脱嵌合部にして（１５Ｍａ−７）設け、上記着脱嵌合部に相対する着脱嵌合部（１５Ｍｂ−７）を、多種の脚長を持つ複数の脚部の上部に設け、多種の脚長を持つ複数の脚部（１５Ｍｂ）を、セレクトして着脱嵌合使用出来る、セレクト着脱構造にした事を特徴とする、竿掛け竿保持具を提供する。
【０００７】
道糸の先端に潮流と、餌となる小魚の力で簡単に動かない錘を付け（１）、竿先に向かって順に、魚が掛かった時抜け落ちないストッパーになる物を付け（２）、しもり（３）、浮き（４）、しもり（５）、浮き止め（６）、枝ハリス止め体（７）、｛前記（６）と（７）の間隔は、少なくとも枝ハリスの長さの１．１倍は必要、｝竿の先端ガイド（９）に至る仕掛けを投げ竿にて投入する、
次に竿を竿の先端ガイド（９）直近の道糸に手が届く位置に（倒）し、竿の先端ガイド（９）より前方の道糸を取り、枝ハリス（８）を取りつけ、枝ハリス先端部の係止具（８Ｃ）に泳がせ釣りの生き餌（８ｄ）を掛け海中に降ろす、次に竿を立て道糸が張るまでリールで巻き、置き竿とし、魚が掛かった時道糸が切れない対策｛図１（イ）の（１２）・（１３）・（１５）・及びリールのドラッグを緩める｝をして、魚信を待つ釣法に使用する上記竿掛け竿保持具（１５）である。
た。
【発明の効果】
【０００８】
発明が解決しようとする課題の、釣り人一人が１本の仕掛けを使用した場合、占有する釣り場所は最少で１本に付き少なくても６ｍ程度にすることが出来た。
【０００９】
釣り人が他人の仕掛けと自分の１〜２本投入している、仕掛けどうしがもつれるのを監視する回数（及び時間）が少なくて済むように成った。
【００１０】
試釣の結果では、浮き釣りと本願発明の釣法とでは、後者の方が優位であった。
【００１１】
餌の小魚の深さ及び前後方向の移動範囲が広く（浮き釣りに対して深さ方向の移動範囲が特に広く、設定次第では海底からの海面迄の深さ１５ｍ程度であれば、海底付近から水面近くまで生き餌が動き回ることが可能と）成った。
【図面の簡単な説明】
【００１２】
【図１】竿掛け竿保持具の斜視図及びギャフ・玉網・重し・緩衝弾性具の略図及び竿掛け竿保持具の設置要領図
【図２】（イ）１５の竿掛け竿保持機能を竿のガイドに設けた、使用時の概略図              （ロ）イのＪ−Ｊ断面図          （ハ）イ、ロの脚部を分割した、組み付け前の斜視図          （ホ）ヘのＪ２−Ｊ２断面図          （ヘ）イ、ロの脚部を分割した、組み付け後の斜視図          （ト）ホ、のＫ矢視図
【図３】（イ）この仕掛けを投入し、道糸を張って魚信を待つ釣法の概略全体図である。
【発明を実施するための形態】
【００１３】
分割前の発明の釣法を可能にしたのは、枝ハリス着脱自在具（８ａ）と着脱自在具から係止具に至る部分の発明を主とし、更に付帯発明を積み重ねたことで、海底の障害物（磯の海底の岩、岩に付着している貝類及び海藻、捨てられ海底に落ちている大型ごみ及び枝付流木が沈殿し海底に半分埋まった物等）に枝ハリスを絡まらなくした事、水深方向の生餌魚の移動可能範囲を広くし得た事（釣り人は一般的に棚を広げたと言う）、魚が掛かり取り込むまでには、数回〜弐十数回の魚の強烈な引き込みが有るが、その強烈な引き込みに耐えられる仕掛けにした事、更に魚は掛かるが取り込む過程で切られる回数を非常に少なくした数点の発明等々で、初心者でも陸部から大型魚か釣れる、泳がせ釣り仕掛け、及びその仕掛けを使った釣り方（泳がせ釣り方法）が発明出来、その実施形態としては、次段落で記述する方法がよい。
【００１４】
従って実施するための形態として、竿からリール・道糸・枝ハリス・浮き・錘に至るまでを対象魚類別（例えば河口付近でのスズキ・ブリ等、更に外洋に近い付近でのブリ・ヒラメ又は黒潮直接当たる付近での、ヒラマサ・ヒラメ・カンパチ・シマアジ等・親潮が直接当たる付近での鮭等々）のセットで販売するのが良い、各パーツを１パッケージとして、組み着けは購入者にＣＤ・ＤＶＤ・ＢＤ等で解説し、手順書として添付する方法もあるし、
【００１５】
基本部品（竿・道糸・リール）のみをセットとして、その他のパーツを数種類解説書付で、購入者にパッケージ単位で選ばせて、組み着けは購入者にＣＤ・ＤＶＤ・ＢＤ等で解説し、手順書として添付する方法もあるが、
少し経験のある人向きには、リール・道糸・枝ハリスのセットか又は枝ハリス（８）のみか、枝ハリスの着脱自在具（８ａ）のみを、部品として販売するのが好ましい方法である、本願の竿掛け竿保持具は上記釣り方法での道糸切れ対策品で有り、オプション的存在である。
【００１６】
初心者向けには、竿からリール・道糸・枝ハリス・浮き・錘に至るまでをセットとして、浮き止め（６）と枝ハリス止め体（７）を装着すれば、釣りが出来るパッケージにして販売するのが好ましい形であり、ａ．この場合（２）のストッパー下部に接続部を設けて｛図３（イ）｝分割するか、ｂ．すべて組み付けしたセットにすれば、購入者は、ａ．の場合（２）のストッパー接続部を接続し浮き止め（６）と枝ハリス止め体（７）を装着すれば釣りが出来るし、ｂ．のフルセットでは、浮き止め（６）と枝ハリス止め体（７）を装着
すれば釣りが出来るので、この方法が魚は掛かるが仕掛けを含む道具の選択違いで、魚を何度も逃がし、思考錯誤を繰り返すたびに無駄な投資をしなくてすむので、好ましい形である。
以上が、推奨する実施するための形態である。
大型魚が釣れる、泳がせ釣り仕掛けを使った釣り方（泳がせ釣り方法）に付いては、試作品等か完成した段階でビデオ撮影しＣＤ・ＤＶＤ・ＢＤ又は本で販売するのが、好ましい形である。
【実施例】
【００１７】
図面に於けるそれぞれの寸法関係は、重要部分は拡大し、詳細が解り難いところは誇張している、また広範囲部分、又は本願発明で重要度の低い部分を、記載する時は縮小している、従って図面間及び図面内の寸法は比例していないし、実寸、縮尺寸法ではない。
又線間の間隔が狭い場合スキャンの段階で黒く太く１本の線に成り易いので、線間の間隔を広げたり、１本の線で書いていたりしている。
更に本願発明の根幹（主要）機構以外部に付いては、図面間で省略している部分もある。
【００１８】
図１の１５Ａは、分割前出願の投げ竿の竿掛け＆竿保持具（１５）であって、投げ竿本体（１１）をクランプするクランプ部（１５ｂ）と、道糸を通す通糸部（１５ｃ）と、防波堤等のコンクリート面に接面し、置き竿状態を保持するコンクリート接面部（１５ｆ）と前記通糸部（１５ｃ）とコンクリート接面部（１５ｆ）との間隔を設ける脚部を設け、更に前記クランプ部を開閉する弾性体（１５ｄ）を設け、かつ、前記クランプ部を複数の直径の竿をクランプ出来るクランプ部（ＫＺ）にして竿の複数の直径の竿部をクランプ出来るクランプ曲線（ＫＺＲ）部を有する竿掛け＆竿保持具（１５Ｚ）を設けたことを特徴とする、竿掛け＆竿保持具を考案したが、前記竿の複数の直径の竿部をクランプ出来るクランプ出来る竿掛け＆竿保持具（１５Ｚ）を、文言の記載だけでは説明しきれないので、
本願の特許請求の範囲には入れていない。
【００１９】
竿掛け竿保持具で陸からの防波堤釣りの場合、置き竿をしている時当たりがあり、スプールから道糸が出続け、同時に竿も曲がるこの時、道糸が防波堤のコンクリート部分に擦って道糸が切れる、これの対策として、濡れタオルや木片等を当て物として使っている。
そこで本願発明では、竿掛け具を発明したが、釣り場が変わると防波堤が高く（もしくは低く）発明した竿掛け具ではクランプ保持出来ない、竿のリールから竿先方向に向かって１番目のガイド部から竿の中程をクランプ出来る竿掛け竿保持具の必要性から、竿掛け竿保持具機能を持つ竿のガイドと、置き竿時にコンクリート当接面部と道糸との間隔を確保できる竿保持脚部を、ガイド部に一体にして投げ竿本体（１１）にリールを下にした状態にして固着すれば、竿のリールから竿先方向に向かって１番目のガイド部から竿の中程迄の間に、前記コンクリート当接面があれば竿掛け＆竿保持具（１５）と同等の機能は発揮出来るので、下記発明に至った。
第一の発明は、投げ竿本体（１１）に固着する嵌合穴（１５Ｍ−１）と、道糸を通すガイド部（１５Ｍ−２，１５Ｍ−３）と竿保持脚部（１５Ｍ−４）と、防波堤のコンクリート面等に接面して置き竿状態を保持するコンクリート当接面部（１５Ｍ−６）とを、一体にしたガイド部を有する竿掛竿保持部（１５Ｍ）を、上記投げ竿に固着して設け、
投げ竿本体（１１）に固着する嵌合穴（１５Ｍ−１）と、道糸を通すガイド部（１５Ｍ−２，１５Ｍ−３）と竿保持脚部（１５Ｍ−４）と、防波堤のコンクリート面等に接面して置き竿状態を保持するコンクリート当接面部（１５Ｍ−６）とを、一体にしたガイド部を有する竿掛竿保持部（１５Ｍ）を、上記投げ竿のリールから竿先方向に向かって１番目のガイド部から多くて１０番目の竿本体（１１）の中程に固着して設け｛図２、（イ）｝、
更に上記固着した竿掛竿保持部（１５Ｍａ）の脚部の下部を、多種の脚長を持つ複数の脚部を着脱嵌合する着脱嵌合部にして（１５Ｍａ−７）設け、上記着脱嵌合部に相対する着脱嵌合部（１５Ｍｂ−７）を、多種の脚長を持つ複数の脚部の上部に設け、多種の脚長を持つ複数の脚部（１５Ｍｂ）を、セレクトして着脱嵌合使用出来る、セレクト着脱構造にした竿掛け竿保持具である。
【００２０】
図２、（イ）は、リール取付け部から竿先に向かって多くて１０個目迄に設けた、竿掛け＆竿保持具（１５）機能を有するガイド（１５Ｍ）で、防波堤等のコンクリート面に接面し、置き竿状態にしている略図である、前記竿掛け＆竿保持具（１５）機能を有するガイドは（ロのＪ−Ｊ断面図）竿に固着（もしくは嵌合）されている固着部（もしくは嵌合部）の穴（１５Ｍ−１）の下部に通糸部（１５Ｍ−２）と道糸による摩擦で摩耗し難いガイド部（１５Ｍ−３）と通糸部（１５Ｍ−２）と防波堤等のコンクリート接面部（１５Ｍ−６）との間隔を設ける脚部（１５Ｍ−４）と防波堤等のコンクリート接面部（１５Ｍ−６）を例示した物であり、この竿掛け＆竿保持具機能を有するガイド（１５Ｍ）を固着した竿を使用することにより、防波堤の高さが異なつて数種の（クランプ部直径の）竿掛け＆竿保持具（１５）使用しなくて済む。
【００２１】
図２（ハ〜ト）は、図２（イ〜ロ）記載のガイド（１５Ｍ）に着脱嵌合部（１５Ｍａ−７）を設けたガイド（１５Ｍａ）と、着脱嵌合部（１５Ｍｂ−７）と脚部に嵌合状態を保持する保持機構（１５Ｍｂ−２，〜１５Ｍｂ−５）を設け、前記脚部の嵌合保持機構は脚部の嵌合部両側に切り割溝（１５Ｍｂ−２）を設け、前記切り割溝により生成された切り割り弾性片（１５Ｍｂ−３）の先端に凸部（１５Ｍｂ−４）を設け、嵌合されたガイド（１５Ｍａ）を前記先端に凸部（１５Ｍｂ−４）を有する切り割り弾性片（１５Ｍｂ−３）により保持する保持機構で使用時に適合する高さの脚部（１５Ｍｂ）を、使用時に竿の適合する位置のガイド（１５Ｍａ）にセレクトし着脱使用出来る構造にしたことを特徴とする竿掛け＆竿保持具。
図２（ハ）は、脚部（１５Ｍｂ）上部の着脱嵌合部（１５Ｍａ−７）に、ガイド（１５Ｍａ）を嵌入する直前の斜視図で、ガイド（１５Ｍａ）を脚部（１５Ｍｂ）の上部に設けられた、着脱嵌合部（１５Ｍａ−７）に押し込むと、切り割り弾性片（１５Ｍｂ−３）が切り割り溝を狭くする方向に押し広げられガイドが奥のストッパー（１５Ｍｂ−５）に当たるとともに切り割り弾性片（１５Ｍｂ−３）の先端の凸部（１５Ｍｂ−４）が切り割り弾性片の弾性復帰力でガイドを抱える形で保持し（ヘ＆ト図）、引き出す時は逆の動作により外す。
前記脚部（１５Ｍｂ）の着脱嵌合部（１５Ｍａ−７）に嵌入した後の斜視図が（ヘ）で、（ヘ）のＪ２−Ｊ２断面図が（ホ）で、（ホ）のＫ矢視図が（ト）である。
【符号の説明】
【００２２】
１，      錘（１ａ，断面錨形状の錘，１ｂ−１ａの吊り手）。
２，      ストッパー（２ａ、ストッパー２で接続する接続部  ２ｂ．玉体ストッパー。          
２１．  ストッパー２で接続する接続部のスナップサルカン  ２ｄ．２，のストッパーの錘側の道糸に固着した、魚の引き込み力で動かない物、２ｈ．穴）。
３，      しもり（浮きを挟んで錘側）。
４，    浮き
５、しもり（浮きを挟んで浮き止め側）。
６、浮き止め（６ａ、  浮き止めでフットボール状の弾性体、６ｂ、  ６ａの弾性体を貫通している線体の輪部、６ｃ．撚ってある糸体の浮き止め、６ｄ  輪ゴム状の弾性体の浮き止め）。
７、枝ハリス止め体（７ｃ．撚ってある糸体の枝ハリス止め体、７ｄ．輪ゴム状の弾性体の枝ハリス止め体）。
８、枝ハリス体全体。
８１、スナップサルカン（よりフックに至る枝ハリス体全体を表している場合もある）。      
８ａ、  枝ハリス着脱自在具。
８ａｂ、玉体とは別体のスナップ部を有する着脱自在部
８ｄ、      生き餌。
８ｅ、      枝ハリス着脱自在具に接続してつけている錘。
８ｆ、      絡み止めパイプ。
１１ａ      竿本体。
１５、      投げ竿の竿掛け＆竿保持具（１５ａ，１５のクランプ部本体、１５ｂ、１５の竿クランプ部、１５ｃ−１５の道糸を通す通糸部、１５ｄ−１５ｂを開閉する弾性体、１５ｆ−１５のコンクリート当接面）。
１５Ｐ、    １５のＫＺＲ曲線の弾性部（引き出した部分）。
１５Ｚ、    ＫＺＲ曲線部を竿クランプ部に有する竿掛け＆竿保持具。
１５ｍ、    竿クランプ当接部の弾性体。
１５Ｍ、    竿のガイド（Ｍ−１竿固着部、Ｍ−２通糸部、Ｍ−３ガイド部  Ｍ−４。
脚部、Ｍ−６コンクリート当接面）。
１５Ｍａ、  着脱嵌合使用出来るタイプのガイド（Ｍａ−２通糸部、Ｍａ−３ガイド部、Ｍａ−７着脱嵌合部，）。
１５Ｍｂ、  セレクトして着脱嵌合使用出来る脚部（Ｍｂ−２切り割溝，Ｍｂ−３切り割弾性片、Ｍｂ−４、切り割弾性片先端の凸部、Ｍｂ−５ガイド奥のストッパー、Ｍｂ−６コンクリート当接部，Ｍｂ−６ｂコンクリート当接面の弾性体、Ｍｂ−７脚部着脱嵌合部，）。
１６，      玉網。
【図１】
0005368622.tif 000002
【図２】
0005368622.tif 000003
【図３】
0005368622.tif 000004